(57)【特許請求の範囲】
【請求項１】
握持した状態で両端が掌から若干突出する程度の長さを有する短柱状の把手部材と、該把手部材の先端に連結機構を介して角度調節自在に連結された払掃材用取付部材と、該取付部材の先端に着脱自在に取り付けられた払掃材とを含み、
上記取付部材が、基端部側に位置する短尺の第１部分と、該第１部分の先端に折れ曲がった状態に連なる長尺の第２部分と、該第２部分に形成された払掃材取付部とからなり、
上記連結機構が、上記把手部材の先端部に間隔をおいて並設された第１及び第２の２つの支持用連結部と、上記取付部材の基端部に形成されて上記２つの支持用連結部間に回動自在に嵌合する回動用連結部と、これらの支持用連結部及び回動用連結部の中心に形成された軸孔と、該軸孔内に軸線方向には移動自在で把手部材に対する回転は規制された状態に挿入され、上記把手部材と取付部材とを相互に連結する連結軸と、上記取付部材における回動用連結部の軸孔の孔縁に円周方向に等角度間隔で形成された複数の係止用凹部と、上記連結軸の外周に形成されて該連結軸の軸線方向の移動により上記凹部に係脱する突条と、該連結軸を突条が上記凹部に係止する方向に常時付勢するばねと、上記連結軸の端部に形成され、該連結軸を上記突条が凹部から外れる位置まで軸線方向に押し込む操作を行う操作頭部とを有する、
ことを特徴とする角度調節式清掃具。
【請求項２】
短柱状の把手部材と、該把手部材の先端に連結機構を介して角度調節自在に連結された払掃材用取付部材と、該取付部材の先端に着脱自在に取り付けられた払掃材とを含み、
上記取付部材が、基端部側に位置する第１部分と、該第１部分の先端に連なる第２部分と、該第２部分に形成された払掃材取付部とからなり、
上記連結機構が、上記把手部材の先端部に間隔をおいて並設された第１及び第２の２つの支持用連結部と、上記取付部材の基端部に形成されて上記２つの支持用連結部間に回動自在に嵌合する回動用連結部と、これらの支持用連結部及び回動用連結部の中心に形成された軸孔と、該軸孔内に軸線方向には移動自在で把手部材に対する回転は規制された状態に挿入され、上記把手部材と取付部材とを相互に連結する連結軸と、上記取付部材における回動用連結部の軸孔の孔縁に円周方向に等角度間隔で形成された複数の係止用凹部と、上記連結軸の外周に形成されて該連結軸の軸線方向の移動により上記凹部に係脱する突条と、該連結軸を突条が上記凹部に係止する方向に常時付勢するばねと、上記連結軸の端部に形成され、該連結軸を上記突条が凹部から外れる位置まで軸線方向に押し込む操作を行う操作頭部とを有することを特徴とする角度調節式清掃具。
【請求項３】
上記連結軸が、上記軸孔内に第１の支持用連結部側から挿入された第１部材と、上記軸孔内に第２の支持用連結部側から挿入されて該第１部材に連結された第２部材とからなっていて、上記第１部材には上記突条が形成され、上記第１の支持用連結部には該突条の嵌合によって上記連結軸の回転を規制する係止溝が形成され、上記第２部材には上記操作頭部が形成されていることを特徴とする請求項１又は２に記載の角度調節式清掃具。
【請求項４】
上記取付部材の第１部分と第２部分とがほぼ９０度の角度に折れ曲がっていて、第２部分が把手部材の先端方向に向けて該把手部材と略平行に延出する第１制限位置と、該第２部分が把手部材の基端方向に向けて該把手部材と略平行に延出する第２制限位置との間で角度調整可能であることを特徴とする請求項１から３までの何れかに記載の角度調節式清掃具。
【発明の詳細な説明】
【０００１】
【発明の属する技術分野】
本発明は、壁や天井あるいは家具等を片手で手軽に払掃清掃することができる小形の角度調節式清掃具に関するものである。
【０００２】
【従来の技術】
この種の角度調節式清掃具として従来より知られているものは、一般に、細長い柄棒の先端に平板状のモップヘッドを傾動自在に取り付け、このモップヘッドに雑巾や拭布等を取り付けて壁や床面等を清掃するように構成されている。
【０００３】
このような従来の清掃具は、比較的大形のものが多く、床面のような平面部分を清掃するのものとしては適しているが、家具の側面や上面あるいは置物の表面のような細かい部分を片手で手軽に払掃清掃することはできない。しかも、角度調節機構が、長い柄棒の先端のモップヘッドとの連結部に設けられているため、柄棒の角度を変える場合はその位置まで手を伸ばして調節操作を行わなければならず、作業が非常に面倒である。
【０００４】
柄棒の角度が自由に変わるようにしておけば手を伸ばして調節作業を行う必要はなくなるが、柄棒を特定の角度に固定できないと、角度によってはモップヘッドに力を加えにくく、使いにくいことが多い。
【０００５】
【発明が解決しようとする課題】
本発明の技術的課題は、壁や天井のような平面部分であっても、家具の表面や上面あるいは置物の表面のような細かい部分であっても、柄を必要な角度に調節固定して片手で手軽に払掃清掃することができ、しかも、角度調節作業を非常に簡単に行うことができる小形で操作性に勝れた角度調節式清掃具を提供することにある。
【０００６】
【課題を解決するための手段】
上記課題を解決するため、本発明によれば、握持した状態で両端が掌から若干突出する程度の長さを有する短柱状の把手部材と、該把手部材の先端に連結機構を介して角度調節自在に連結された払掃材用取付部材と、該取付部材の先端に着脱自在に取り付けられた払掃材とを含み、上記取付部材が、基端部側に位置する短尺の第１部分と、該第１部分の先端に折れ曲がった状態に連なる長尺の第２部分と、該第２部分に形成された払掃材取付部とからなり、上記連結機構が、上記把手部材の先端部に間隔をおいて並設された第１及び第２の２つの支持用連結部と、上記取付部材の基端部に形成されて上記２つの支持用連結部間に回動自在に嵌合する回動用連結部と、これらの支持用連結部及び回動用連結部の中心に形成された軸孔と、該軸孔内に軸線方向には移動自在で把手部材に対する回転は規制された状態に挿入され、上記把手部材と取付部材とを相互に連結する連結軸と、上記取付部材における回動用連結部の軸孔の孔縁に円周方向に等角度間隔で形成された複数の係止用凹部と、上記連結軸の外周に形成されて該連結軸の軸線方向の移動により上記凹部に係脱する突条と、該連結軸を突条が上記凹部に係止する方向に常時付勢するばねと、上記連結軸の端部に形成され、該連結軸を上記突条が凹部から外れる位置まで軸線方向に押し込む操作を行う操作頭部とを有することを特徴とする角度調節式清掃具が提供される。
【０００７】
また、本発明によれば、短柱状の把手部材と、該把手部材の先端に連結機構を介して角度調節自在に連結された払掃材用取付部材と、該取付部材の先端に着脱自在に取り付けられた払掃材とを含み、上記取付部材が、基端部側に位置する第１部分と、該第１部分の先端に連なる第２部分と、該第２部分に形成された払掃材取付部とからなり、上記連結機構が、上記把手部材の先端部に間隔をおいて並設された第１及び第２の２つの支持用連結部と、上記取付部材の基端部に形成されて上記２つの支持用連結部間に回動自在に嵌合する回動用連結部と、これらの支持用連結部及び回動用連結部の中心に形成された軸孔と、該軸孔内に軸線方向には移動自在で把手部材に対する回転は規制された状態に挿入され、上記把手部材と取付部材とを相互に連結する連結軸と、上記取付部材における回動用連結部の軸孔の孔縁に円周方向に等角度間隔で形成された複数の係止用凹部と、上記連結軸の外周に形成されて該連結軸の軸線方向の移動により上記凹部に係脱する突条と、該連結軸を突条が上記凹部に係止する方向に常時付勢するばねと、上記連結軸の端部に形成され、該連結軸を上記突条が凹部から外れる位置まで軸線方向に押し込む操作を行う操作頭部とを有することを特徴とする角度調節式清掃具が提供される。
【０００８】
上記構成を有する清掃具は、把手部材を片手で握持し、取付部材の先端に取り付けられた払掃材で壁、天井、家具の表面や上面、置物の表面などを払掃清掃する。このとき、取付部材の角度を対象部位の位置や向き等に応じて調節することにより、腕を窮屈な角度に折り曲げたりすることなく、それらの対象部位を片手で簡単かつ確実に払掃することができる。
【０００９】
角度調節を行うときは、上記連結軸の操作頭部を押圧して該連結軸を軸線方向に移動させることにより、該連結軸上の突条を取付部材の凹部から離脱させた状態にし、その状態で他方の手で該取付部材を必要な角度だけ回動させたあと上記連結軸の操作頭部の押圧を解除する。これにより、該連結軸がばねで復帰して上記突条が凹部に係止するから、取付部材がその角度に固定される。
また、上記取付部材の角度調節作業は、把手部材を握持した手の親指で操作子を切換操作することにより簡単に行うことができ、清掃作業中でも、清掃具を一々持ち変えたり長い柄を手元にたぐり寄せたりする必要がなく、そのままの態勢で角度調節を行うことができるため、清掃作業及び角度調節作業が非常に簡単である。
【００１０】
本発明の具体的な実施形態によれば、上記連結軸が、上記軸孔内に第１の支持用連結部側から挿入された第１部材と、上記軸孔内に第２の支持用連結部側から挿入されて該第１部材に連結された第２部材とからなっていて、上記第１部材には上記突条が形成され、上記第１の支持用連結部には該突条の嵌合によって上記連結軸の回転を規制する係止溝が形成され、上記第２部材には上記操作頭部が形成されている。
【００１３】
本発明の好ましい具体的な実施形態においては、上記取付部材の第１部分と第２部分とがほぼ９０度の角度に折れ曲がっていて、第２部分が把手部材の先端方向に向けて該把手部材と略平行に延出する第１制限位置と、該第２部分が把手部材の基端方向に向けて該把手部材と略平行に延出する第２制限位置との間で角度調整可能なるように構成されている。
【００１４】
【発明の実施の形態】
以下、本発明に係る清掃具の好ましい一実施形態を図面に基づいて詳細に説明する。図１及び図２において、１は清掃具本体、２は該清掃具本体に着脱自在の払掃材を示している。
【００１５】
上記清掃具本体１は、片手で握持した状態で両端が掌から若干突出する程度の長さを有する短円筒状の把手部材４と、該把手部材４の先端に連結機構６を介して角度調節自在に連結された払掃材用取付部材５とからなっている。
【００１６】
上記取付部材５は、基端部側に位置する短尺な第１部分５ａと、該第１部分５ａの先端にほぼ９０度の角度折れ曲がった状態に連なる長尺棒状の第２部分５ｂと、該第２部分５ｂに形成された払掃材取付部５ｃとからなるもので、合成樹脂で一体に形成されている。
【００１７】
上記連結機構６は、図３〜図５から分かるように、把手部材４の先端部に間隔をおいて並設された第１及び第２の２つの支持用連結部１０ａ，１０ｂと、取付部材５の基端部に形成された回動用連結部１１とを有し、この回動用連結部１１が上記２つの支持用連結部１０ａ，１０ｂ間に、把手部材４の軸線と直交する軸線の回りに回動自在なるように挿入、接合されている。これらの連結部１０ａ，１０ｂ，１１の中心には一つに連なる軸孔１２が形成され、該軸孔１２内に、第１部材１３ａと第２部材１３ｂとからなる連結軸１３が、次のような構成によって軸線方向には移動自在であるが把手部材４に対する回転は規制された状態に挿入されている。
【００１８】
即ち、上記２つの支持用連結部１０ａ，１０ｂのうち第１の連結部１０ａにおける軸孔１２の孔縁には、上記連結軸１３の外周に形成された複数の突条１５が嵌合する複数の係止溝１６が等角度間隔で放射状に形成されると共に、連結軸１３の外周の凹溝１７に嵌合する位置決め用の突起１８が１つ形成されており、この突起１８と凹溝１７とが嵌合する位置で連結軸１３を軸孔１２内に挿入することにより、該連結軸１３が、上記各突条１５が係止溝１６にちょうど嵌合する状態、即ち把手部材４に対する回転が規制された状態で取り付けられるようになっている。
【００１９】
また、第２の支持用連結部１０ｂにおける軸孔１２の孔縁には、該連結部１０ｂの外方に向かって軸線方向に延びるストッパとしての筒部１９が形成されている。
【００２０】
更に、上記取付部材５に形成された回動用連結部１１には、上記第１の支持用連結部１０ａ側の側面に、連結軸１３上の上記突条１５の端部が係脱する複数の係止用の凹部２２が、軸孔１２を取り囲んで等角度間隔で放射状に形成されている。これらの凹部２２は、把手部材４に対する取付部材５の角度を変更するためのもので、角度を細かく変更できるように、上記係止溝１６より十分多い数の凹部２２が、頂部の尖った隔壁を介して密に隣接するように設けられている。
【００２１】
また、上記連結軸１３は、第１部材１３ａと第２部材１３ｂとで構成されていて、これらの部材１３ａ，１３ｂが軸孔１２内で相互に連結されている。
【００２２】
上記第１部材１３ａは、軸孔１２内に摺動自在に挿入された軸筒部２５と、第１支持用連結部１０ａの外端面に当接、係止する係止頭部２６とを備えている。上記軸筒部２５は軸孔１２の全長よりも若干短く形成されていて、該軸筒部２５の外周面には、上記係止頭部２６寄りの位置に、軸線方向に延びる上記複数の突条１５が円周方向に等角度間隔で形成されると共に、該軸筒部２５の全長にわたって延びる上記凹溝１７が形成され、軸筒部２５の中間位置には、２つの連結用係止孔２７が相対する位置に形成されている。
【００２３】
また、第２部材１３ｂは、上記第１部材１３ａの軸筒部２５内に嵌合する連係軸部３０と、該連係軸部３０の外端部に形成された押圧操作用の操作頭部３１とを有し、上記連係軸部３０の内端部には、上記第１部材１３ａの係止孔２７に弾力的に係止する２つのフック３２が形成されている。そして、上記軸孔１２内に第１部材１３ａを第１支持用連結部１０ａ側から挿入すると共に、第２部材１３ｂを第２支持用連結部１０ｂ側から挿入して、上記フック３２を係止孔２７に弾力的に係止させることにより、これらの第１部材１３ａと第２部材１３ｂとが一体に連結されている。このとき、第２部材１３ｂと第２支持用連結部１０ｂとの間には圧縮ばね３３が介在される。このばね３３は、図３に示すように、連結軸１３を突条１５が上記凹部２２に係止する方向に常時付勢するもので、該ばね３３の付勢力に抗して第２部材１３ｂの操作頭部３１を筒部１９に当接する位置まで押し込むことにより、図４に示すように、上記突条１５が凹部２２から外れ、取付部材５を連結軸１３の回りに回動させることができる。そして、適宜の回動位置で上記操作頭部３１の押圧を解除することにより、連結軸１３がばね３３で図３の位置に復帰して上記突条１５が凹部２２に係止するから、取付部材５がその角度に固定されることになる。従って上記連結軸１３は、取付部材５を回動可能な状態と特定の角度に固定された状態とに切換操作するための操作子としての機能を持つものである。
【００２４】
また、上記凹部２２の突条１５が係脱する方向の深さＤは、連結軸１３を押し込み操作しない状態での筒部１９と操作頭部３１との間の距離Ｈよりも若干小さく設定されている。
【００２５】
更に、上記連結軸１３は、把手部材４を片手で握持した状態で操作頭部３１を親指によって押圧操作可能な位置に配設されている。
【００２６】
なお、上記取付部材５の角度を調節できる範囲は、図１に鎖線で示すように、第２部分５ｂが把手部材４の先端方向に向けて該把手部材４と略平行に延出する第１制限位置Ａと、該第２部分５ｂが把手部材４の基端方向に向けて該把手部材４と略平行に延出する第２制限位置Ｂとの間（約１８０の範囲）である。略９０度の角度に折れ曲がった取付部材５をこのような範囲内で角度調節することにより、例えば図１の角度に調節した場合は家具の上面や高所の棚などの清掃が行い易いなど、清掃対象部位の位置や向き等に応じて一番払掃し易い角度を容易に選択することができる。
【００２７】
一方、上記払掃材２は、繊維を房状に束ねることにより全体としてロール状に形成されていて、上記取付部材５の第２部分５ｂにほぼ全長にわたり取り付けられ、基端部を円錐状の支持部材３５で支持されている。
【００２８】
しかし、上記払掃材２はこのような形態のものに限定されず、柱状をしたスポンジ体や、このスポンジ体の表面に拭布を巻き付けたものなど、清掃対象部位の払掃に適した適宜形態のものを使用することができる。
【００２９】
また、上記払掃材２を取付部材５に取り付けるための構成として、図示した実施例では、第２部分５ｂの先端部に二股状で複数の係止爪を備えた係止部３６を設け、この係止部３６に払掃材２の先端部を係止させ、払掃材２の基端部を上記支持部材３５で支持させているが、このような構成に限定されない。
【００３０】
上記構成を有する清掃具は、把手部材４を片手で握持し、取付部材５の先端に取り付けられた払掃材２で壁、天井、家具の表面や上面、置物の表面などを払掃清掃する。このとき、取付部材５の角度を対象部位の位置や向き等に応じて調節することにより、腕を窮屈な角度に折り曲げたりすることなく、それらの対象部位を片手で簡単かつ確実に払掃することができる。
【００３１】
また、上記取付部材５の角度調節作業は、図４に示すように、把手部材４を握持した手の親指で連結軸１３の操作頭部３１を押圧して該連結軸１３を軸線方向に移動させることにより、該連結軸１３上の突条１５を取付部材５の凹部２２から離脱させた状態にし、その状態で他方の手で該取付部材５を必要な角度だけ回動させたあと、上記連結軸１３の操作頭部３１の押圧を解除する。これにより、図３に示すように、連結軸１３がばね３３の付勢力により復帰して上記突条１５が凹部２２に係止するから、取付部材５がその角度に固定される。かくして、把手部材４を握持した状態のまま取付部材５の角度調節作業を行うことができるため、その作業が非常に簡単で、清掃作業中でも対象部位の状況に応じて即座に角度調節を行うことができる。
【００３２】
【発明の効果】
このように本発明によれば、壁や天井のような平面部分であっても、家具の表面や上面あるいは置物の表面のような細かい部分であっても、柄を必要な角度に調節固定して片手で手軽に払掃清掃することができ、しかも、角度調節作業を非常に簡単に行うことができる、小形で操作性に勝れた角度調節式清掃具を得ることができる。
【図面の簡単な説明】
【図１】本発明に係る清掃具の一実施例を示す側面図である。
【図２】図１の右側面図である。
【図３】図１の要部拡大断面図である。
【図４】図３における異なる操作状態での断面図である。
【図５】図３の分解斜視図である。
【符号の説明】
２    払掃材
４    把手部材
５    取付部材
５ａ    第１部分
５ｂ    第２部分
５ｃ    取付部
６    連結機構
１０ａ，１０ｂ    連結部
１１    連結部
１２    軸孔
１３    連結軸
１５    突条
２２    凹部
３１    操作頭部
Ａ    第１制限位置
Ｂ    第２制限位置
【図１】
0004347465.tif 000002
【図２】
0004347465.tif 000003
【図３】
0004347465.tif 000004
【図４】
0004347465.tif 000005
【図５】
0004347465.tif 000006